(57)【要約】      （修正有）【課題】電池が消耗してもＬＥＤにフリッカーが生じることの無い眼科診断装置を提供する。【解決手段】ＬＥＤ１１を駆動するＬＥＤ駆動部２０、電池１２からの直流の電源電圧ＶＢを高電圧部ＶＨ及び低電圧部ＶＬからなる所定波長Ｔのパルス電圧ＶＰに変調してＬＥＤ駆動部２０に出力する調光部１５を有し、ＬＥＤ駆動部２０は調光部１５から出力されたパルス電圧ＶＰでＬＥＤ１１を駆動する眼科診断装置において、パルス電圧による前記ＬＥＤ１１の駆動の影響により変動する前記電源電圧ＶＢの低電圧部の電圧値が最低駆動電圧値を超える値に設定された閾値電圧を下回っていないかを監視する出力監視部１６が、電源電圧の低電圧部の電圧値が閾値電圧を下回ったものと判定した場合に、電源電圧ＶＢの供給を停止してＬＥＤ１１の駆動を停止する出力監視部１６を有する。【選択図】図２
2015154882.tif 000002
【特許請求の範囲】
【請求項１】
最低駆動電圧値が設定されたＬＥＤ、該ＬＥＤを発光駆動するＬＥＤ駆動部、電池及び、該電池からの直流の電源電圧を高電圧部及び低電圧部からなる所定波長のパルス電圧に変調して前記ＬＥＤ駆動部に出力する電圧変調手段を有し、前記ＬＥＤ駆動部は前記電圧変調手段から出力されたパルス電圧で前記ＬＥＤを駆動する眼科診断装置において、
前記パルス電圧による駆動される前記ＬＥＤの駆動の影響により変動する前記電源電圧の低電圧部の電圧値が前記最低駆動電圧値を超える値に設定された閾値電圧を下回っていないかを監視する電圧監視手段及び、
前記電圧監視手段が、前記電源電圧の低電圧部の電圧値が前記閾値電圧を下回ったものと判定した場合に、前記電源電圧の供給を停止して前記ＬＥＤの駆動を停止する電圧供給停止手段を有することを特徴とする眼科診断装置。
【請求項２】
前記電池からの電源投入時に、前記ＬＥＤ駆動部による前記ＬＥＤの駆動を前記電源投入時から所定時間禁止する遅延制御手段を有することを特徴とする請求項１記載の眼科診断装置。
【請求項３】
前記電圧変調手段から出力されるパルス電圧の前記波長を変更することが出来る波長変更手段を有することを特徴とする請求項１記載の眼科診断装置。
【請求項４】
前記眼科診断装置は、被検眼の画像を動画で記録することが出来るカメラを着脱自在に有していることを特徴とする請求項３記載の眼科診断装置。
【発明の詳細な説明】
【技術分野】
【０００１】
本発明は、被検眼を照明する光源としてＬＥＤを光源として備えた眼科診断装置に関わり、特に、ＬＥＤを、電池駆動によるパルス幅変調（ＰＷＭ）方式によりその明るさを調節する方式の眼科診断装置に関する。
【背景技術】
【０００２】
被検眼の所定位置にスリット光などの観察光を照射して、被検眼の例えば前眼部の状態を観察する手持ち式の眼科診断装置が知られている。この種の眼科診断装置としては、例えば、特許文献１に示すものが知られている。
【０００３】
最近、観察光の光源として、コストや安定性、寿命の問題などから、ＬＥＤが使用されるようになってきている。この場合、当然光量（明るさ）を調節したいという要望があるが、光量の調整方法の一つとして、ＬＥＤを高い電圧（Ｈ）と低い電圧（Ｌ）からなるパルス状の電圧をかけて駆動し、高い電圧（Ｈ）と低い電圧（Ｌ）との印加時間の割合（デューティ比）を調整することで、その明るさを調節するパルス幅変調方式（一般的にはＰＷＭ方式と呼ばれる）が知られている。この方法によれば、ＬＥＤから照射される光の色合いが変化しないことから、眼科診断装置などの医療機器の診断部を照らすための光源など、色合いに非常に重点が置かれる分野では、積極的に採用されつつあり、前述の眼科診断装置においても同様である。
【先行技術文献】
【特許文献】
【０００４】
【特許文献１】特開２００４−１６７０２８号
【発明の概要】
【発明が解決しようとする課題】
【０００５】
このＰＷＭ制御方法によって制御されるＬＥＤを光源として用いた装置、例えば手持ち式、携帯型のような電池駆動の装置（特許文献１に示された手持ち式スリットランプなど）の場合、ある一つの問題が生じる。即ち、ＬＥＤには、その発光駆動に必要な最低駆動電圧値（順方向電圧：Ｖｆ）があり、電池から供給される電圧が、電池の消耗などによって当該最低駆動電圧値を下回るとその発光動作が停止してしまうこととなる。これは一般的なＬＥＤの性質で、ＬＥＤのＰＮ接合部での電子-ホール再結合に必要なエネルギーが十分でないと、ＬＥＤが発光しないということによるものである。この最低駆動電圧値は、主にＬＥＤ自体の発光色に依存するが、例えば青色の場合、２．８〜３．０Ｖ程度のものが知られている。
【０００６】
このＬＥＤに対してＰＷＭ方式による制御を使用すると、ＬＥＤが駆動される（電流がＬＥＤを流れる）影響で電源側の電圧（電源電圧）も、高い電圧（Ｈ）と低い電圧（Ｌ）との間で、ＰＭＷによる駆動電圧とは逆位相のパルス状の電圧変動が生じる。この際、電池が消耗状態になっていると、ＬＥＤがＰＭＷの高い電圧（Ｈ）で点灯されると、逆位相の電源電圧が低い電圧（Ｌ）となり、最低駆動電圧値を下回ってしまい、ＬＥＤが消灯する場合が生じる。ＬＥＤが消灯すると、ＬＥＤを流れる電流が無くなるので、電源側の電圧は高い電圧（Ｈ）に戻り、最低駆動電圧値を上回って、ＬＥＤが再度点灯することとなり、これが繰り返される結果フリッカーが生じて、被検眼に対する悪影響の発生及び想定したＰＭＷ方式による駆動とは異なるサイクルでＬＥＤが駆動されてしまう懸念が生じる。
【０００７】
また、ＰＭＷ方式でＬＥＤを駆動する場合、電源投入時点から、ＰＭＷ用の駆動パルスが生成されるまでの間、パルス変調されていない電池からの直流電圧（電源電圧）が直接ＬＥＤに印加され、ＬＥＤが瞬間的に大光量で発光駆動されてしまい、被検眼に対して悪影響を与える危険性がある。
【０００８】
こうした点を改善するために、電源投入時に、パルス変調前の直流電圧（電源電圧）がＬＥＤに入力しないように、一定の遅延時間（例えば、５０ｍｓｅｃ程度）だけＬＥＤへの駆動電圧の印加を遅らせる遅延回路を設け、ＰＭＷ用の駆動パルスが生成された後に当該駆動パルスでＬＥＤを駆動する方式が提案されている。
【０００９】
しかし、この方法を用いると、前述の電池の消耗に伴うフリッカー時において、電源側の電圧（電源電圧）が低い電圧（Ｌ）となった時に、ＬＥＤの駆動が一旦停止することとなる。そして、ＬＥＤの駆動が無くなると、電源側の電圧が高い電圧（Ｈ）に戻るので、当該高い電圧（Ｈ）が遅延回路に入力し、遅延回路が、電源が投入されたものと誤判定して、ＬＥＤの駆動を所定時間遅延させるように制御することから、ＬＥＤの消灯時間が長くなり、フリッカーがより顕著に生じてしまう不都合が生じる可能性がある。
【００１０】
そこで、本発明は、電池が消耗してもＬＥＤにフリッカーが生じることの無い眼科診断装置を提供することを第１の目的とし、更に、電源投入時の遅延回路を装備しても、電池の消耗時に悪影響を与えることのない眼科診断装置を提供することを第２の目的とするものである。
【課題を解決するための手段】
【００１１】
本発明の第１の観点は、最低駆動電圧値（Ｖｆ）が設定されたＬＥＤ（１１）、該ＬＥＤ（１１）を発光駆動するＬＥＤ駆動部（２０）、電池（１２）及び、該電池（１２）からの直流の電源電圧（ＶＢ）を高電圧部（ＶＨ）及び低電圧部（ＶＬ）からなる所定波長（Ｔ）のパルス電圧（ＶＰ）に変調して前記ＬＥＤ駆動部（２０）に出力する電圧変調手段（１５）を有し、前記ＬＥＤ駆動部（２０）は前記電圧変調手段（１５）から出力されたパルス電圧（ＶＰ）で前記ＬＥＤ（１１）を駆動する眼科診断装置（１）において、
前記パルス電圧（ＶＰ）による駆動される前記ＬＥＤ（１１）の駆動の影響により変動する前記電源電圧（ＶＢ）の低電圧部（ＶＢＬ）の電圧値が前記最低駆動電圧値（Ｖｆ）を超える値に設定された閾値電圧（ＴＨＶ）を下回っていないかを監視する電圧監視手段（１６）及び、
前記電圧監視手段（１６）が、前記低電圧部（ＶＢＬ）の電圧値が前記閾値電圧（ＴＨＶ）を下回ったものと判定した場合に、前記電源電圧（ＶＢ２）の供給を停止して前記ＬＥＤ（１１）の駆動を停止する電圧供給停止手段（１６）を有することを特徴とするものである。
【００１２】
本発明の第２の観点は、前記電池（１２）からの電源投入時に、前記ＬＥＤ駆動部（２０）による前記ＬＥＤ（１１）の駆動を前記電源投入時から所定時間禁止する遅延制御手段（１９）を有することを特徴として構成される。
【００１３】
本発明の第３の観点は、前記電圧変調手段（１５）から出力されるパルス電圧（ＶＰ）の前記波長（Ｔ）を変更することが出来る波長変更手段（１５）を有することを特徴として構成される。
【００１４】
本発明の第４の観点は、前記眼科診断装置（１）は、被検眼の画像を動画で記録することが出来るカメラ（７）を着脱自在に有していることを特徴として構成される。
【発明の効果】
【００１５】
本発明の第１の観点によれば、ＬＥＤ駆動の影響を受けた電源電圧（ＶＢ）の低電圧部（ＶＢＬ）の電圧値が閾値電圧（ＴＨＶ）を下回った場合に、電圧供給停止手段（１６）によりＬＥＤ（１１）の駆動が停止されるので、電源電圧（ＶＢ）の低電圧部（ＶＢＬ）の電圧値が最低駆動電圧値（Ｖｆ）を下回って、ＬＥＤ（１１）がフリッカーを生じる前に、ＬＥＤ（１１）の駆動を停止することが出来、電池（１２）が消耗してもＬＥＤ（１１）にフリッカーが生じることの無い眼科診断装置を提供することが可能となる。
【００１６】
本発明の第２の観点によれば、遅延制御手段（１９）により、電源投入時のパルス変調前の直流の電源電圧（ＶＢ）がＬＥＤ（１１）に入力しないように、所定時間だけＬＥＤ（１１）への駆動電圧の印加を遅らせる制御をする場合でも、電源電圧（ＶＢ２）が最低駆動電圧値（Ｖｆ）を下回ってＬＥＤ（１１）が消灯する前に、ＬＥＤ（１１）の駆動が完全に停止されるので、遅延制御手段（１９）の誤動作を未然に防止することが出来、遅延制御手段（１９）の存在が電池の消耗時に悪影響を与える危険性を排除することが出来る。
【００１７】
本発明の第３の観点によれば、波長変更手段（１５）により、パルス電圧（ＶＰ）の前記波長（Ｔ）を変更することが出来るので、カメラなどで動画を取得する際に、カメラのシャッタースピードに応じて、波長を調整することが出来、画像に干渉縞が生じることを未然に防止することが出来る。
【００１８】
本発明の第４の観点によれば、カメラ（７）により、干渉縞のない画像を容易に取得することが出来る。
【００１９】
なお、括弧内の番号等は、図面における対応する要素を示す便宜的なものであり、従って、本記述は図面上の記載に限定拘束されるものではない。
【図面の簡単な説明】
【００２０】
【図１】図１は、本発明が適用される眼科診断装置の一例を示す外観図。
【図２】図２は、図１の眼科診断装置のＬＥＤ駆動系の一例を示す制御ブロック図。
【図３】図３は、ＬＥＤのＰＷＭ方式による駆動電圧波形及びその際の電源電圧の一例を示す図。
【発明を実施するための形態】
【００２１】
以下、図面に基づき、本発明の実施例を説明する。
【００２２】
手持ち式の眼科診断装置１は、図１に示すように、筐体１ａを有しており、筐体１ａは、板状のベース２を有している。ベース２の図中右端部には、同様に筐体１ａを構成する柱状に形成されたグリップバー３が設けられている。グリップバー３の図中左側面には、後述する電源部１３に接続されたＬＥＤスイッチ３ａが水平方向である矢印Ａ、Ｂ方向に押下自在に設けられており、また、グリップバー３の図中右側面には、明るさ調整用ダイアル３ｂが図中水平方向である矢印Ｈ、Ｉ方向に回転操作自在に設けられている。
【００２３】
グリップバー３の図中上方には、検眼部５が設けられており、検眼部５には、接眼レンズ５ａ、プリズム５ｂ及び対物レンズ５ｃなどからなる光路系６が設けられている。なお、図示した光路系６は、説明の便宜上、模式的に示した概略図で有り、実際の光路系６を示すものではない。実際の眼科診断装置１の光路系６は、診断装置に要求される性能を発揮する上で必要な様々な部品が付加され、光路もより複雑に構成されていることが多いが、本発明の要旨とは離れるので、ここでは、その説明及び図示は省略する。従って、光路系６は必要に応じて任意の構成を取ることが出来る。
【００２４】
検眼部５の図中上部には、カメラ７が着脱自在に配置されており、カメラ７は、検眼部５で検査者９が光路系６を介して補足することの出来る被検眼の画像を、動画又は静止画の形で記録することが出来るように構成されている。
【００２５】
また、ベース２の図１左方には、回転アーム２ａが軸２ｂを介して図中水平方向である矢印Ｃ，Ｄ方向に回転自在に設けられており、回転アーム２ａには、円筒状に形成された、被検眼に観察光であるスリット光を照射するためのＬＥＤ照明部１０が設けられている。ＬＥＤ照明部１０の先端部には、照射部１０ａが設けられており、照射部１０ａはＬＥＤ照明部１０の内部に設けられたＬＥＤ（図２参照）１１から発せられる光８を矢印Ｅ方向にスリット状の観察光として照射することが出来る。なお、ＬＥＤ１１は、例えば２．８Ｖの最低駆動電圧値Ｖｆが仕様として設定されており、ＬＥＤ１１に供給される駆動電圧がこの最低駆動電圧値Ｖｆを下回ると、ＬＥＤ１１は駆動されることはない。
【００２６】
また、眼科診断装置１は、図２に示すように、筐体１ａやＬＥＤ照明部１０など適宜な部分に収納された装置駆動部１４を有しており、装置駆動部１４は、乾電池などからなる電池１２を有している。電池１２には、電源部１３が接続している。電源部１３には、出力監視部１６及び電圧変調手段を構成する調光部１５が接続されており、調光部１５には、明るさ調整用ダイアル３ｂ及び波長変更ダイアル１５ａが操作自在に接続している。また、出力監視部１６にはアラーム部１７が接続しており、調光部１５にはＬＥＤ駆動２０が接続している。ＬＥＤ駆動部２０には、ＬＥＤ１１及び遅延制御部１９が接続している。
【００２７】
眼科診断装置１は以上のような構成を有するので、眼科診断装置１を用いて、図示しない被検眼などにＬＥＤ１１からの光を照射する際には、眼科診断装置１のグリップバー３を片手で保持した状態で、ＬＥＤスイッチ３ａを矢印Ｂ方向に押し込んで、電源部１３に電源を投入する。すると、電池１２からの直流の電源電圧ＶＢ が電源部１３を介して調光部１５に入力され、調光部１５は、入力された電源電圧ＶＢから、ＬＥＤ１１をＰＷＭ方式で駆動するためのパルス状に変調されたパルス電圧ＶＰを生成してＬＥＤ駆動部２０に出力する。ＬＥＤ駆動部２０は、変調されたパルス電圧ＶＰによりＬＥＤ１１を駆動し、ＬＥＤ１１は発光駆動され光８を発光する。
【００２８】
このパルス電圧ＶＰは、図３に示すように、高電圧部ＶＨと低電圧部ＶＬとに変調された矩形波であり、波長Ｔのうち、高電圧部ＶＨは時間ｔ１であり、低電圧部ＶＬは時間Ｔ−ｔ１である。波長Ｔは適宜設定することが出来るが、例えば、標準で１／９００秒（１．１１msec）程度で有り、その波長Ｔは、調光部１５に接続された波長変更ダイアル１５ａを調整することで適宜な範囲で調整することが出来る。この時、ＬＥＤのパルス電圧ＶＰによる駆動の影響を受けて、電源部１３からの電源電圧ＶＢも変動し、図３に示すように、パルス電圧ＶＰとは逆位相の、高電圧部ＶＢＨと低電圧部ＶＢＬとに変調された矩形波が生成される。
【００２９】
電池１２が消耗していない状態では、電源電圧ＶＢは、図３の実線で示すような電圧ＶＢ１となっており、電圧ＶＢ１は、その供給最低電圧である低電圧部ＶＢＬの電圧が、ＬＥＤ１１の最低駆動電圧値Ｖｆを十分に上回っているので、調光部１５，ＬＥＤ駆動部２０を介してＬＥＤ１１は、所定の波長Ｔで円滑に駆動され、ＬＥＤ照明部１０の照射部１０ａからは適切な光量の光８を外部に照射することが出来る。この際、ＬＥＤ１１は、パルス電圧ＶＰにおける高電圧部ＶＨで駆動されて点灯し、低電圧部ＶＬでは最低駆動電圧値Ｖｆを下回って非駆動状態となって消灯し、全体的には、高電圧部ＶＨに対する低電圧部ＶＬの比（デューティ比）に応じた明るさの光８を外部に発光することが出来る。
【００３０】
なお、電源投入から、調光部１５が適正に変調されたパルス電圧ＶＰをＬＥＤ駆動部２０に出力するまでには、例えば２０〜３０msec程度の立ち上がり時間を必要とし、当該立ち上がり時間では、電源部１３から供給される直流電圧ＶＢがパルス電圧ＶＰに何ら変調されずにそのままＬＥＤ駆動部２０に出力される。そこで、遅延制御部１９は、例えば電源部１３から出力される電源投入信号をトリガーＴＲとして入力し、ＬＥＤ駆動部２０を電源投入時から所定時間、例えば５０msecの間、ＬＥＤ駆動部２０に対してＬＥＤ１１を駆動しないように駆動禁止信号ＰＲを出力し、ＬＥＤ駆動部２０によるＬＥＤ１１の駆動を禁止する制御を行う。これにより、ＬＥＤ１１は変調されていない直流電圧ＶＢで駆動されることが未然に防止され、直流電圧ＶＢで駆動されたＬＥＤ１１からの強い光８が照射孔１０ａより被検眼などに照射されることが未然に防止される。
【００３１】
また、出力監視部１６は、電源部１３から出力される電源電圧ＶＢを監視しており、その電圧値、特に低電圧部ＶＢＬの電圧値が出力監視部１６に設定された閾値電圧ＴＨＶを下回っていないかを常時監視している。そして、図３の電源電圧ＶＢ２に示すように、低電圧部ＶＢＬの電圧値が閾値電圧ＴＨＶを下回ったものと判定した場合には、直ちに、電源部１３に対して調光部１５に対するパルス電圧ＶＢの供給を停止するように制御する。すると、調光部１５からのパルス電圧ＶＰのＬＥＤ駆動部２０に対する出力も停止され、ＬＥＤ１１の駆動は停止される。閾値電圧ＴＨＶは、図３に示すように、ＬＥＤ１１の最低駆動電圧値Ｖｆを超える値（例えば、０．２〜０．５Ｖ程度超える電圧値）に設定されているので、電池１２の消耗などにより、電源電圧ＶＢが低下し、ＬＥＤ１１の最低駆動電圧値Ｖｆに近い値にまで低下して（しかし、最低駆動電圧値Ｖｆを超えてはいる）低電圧部ＶＢＬの電圧値が閾値電圧ＴＨＶを下回ると、直ちに電源部１３からの電源電圧ＶＢの調光部１５に対する供給を停止し、ＬＥＤ１１の駆動を停止する。
【００３２】
なお、出力監視部１６は、電源電圧ＶＢ２の低電圧部ＶＢＬの電圧値が閾値電圧ＴＨＶを下回ってＬＥＤ１１の駆動が停止される前に、アラーム部１７を駆動して電池１２が消耗して交換すべきであることを検査者などに告知する。
【００３３】
このとき、電源電圧ＶＢ２の最低電圧である低電圧部ＶＢＬの電圧は、ＬＥＤ１１の最低駆動電圧値Ｖｆよりも大きいので、ＬＥＤ１１はフリッカー状態にならずに、直ちに消灯され、電池１２の消耗により、低電圧部ＶＢＬが最低駆動電圧値Ｖｆを下回って、ＬＥＤ１１がフリッカー状態となることを未然に防止することが出来る。この状態で、消耗した電池１２を新しい電池と交換して、再度電源を投入することで、適正な電圧ＶＢ１で、ＬＥＤ１１を駆動することが出来る。
【００３４】
なお、光量（明るさ）の変更は、明るさ変更ダイアル３ｂを適宜、図１矢印Ｈ、Ｉ方向に回転することで、調光部１５が図３に示す、パルス電圧ＶＰの低電圧部ＶＬに対する高電圧部ＶＨの波長ｔ１の長さを変化させる（例えば波長ｔ１から波長ｔ１‘へ）。これにより、高電圧部ＶＨに対する低電圧部ＶＬの比、即ちデューティ比が変化するので、ＬＥＤ１１から照射される光８の光量（明るさ）が変化する。
【００３５】
なお、既に述べたように、ＬＥＤ１１は高電圧部ＶＨに対応した点灯状態と低電圧部ＶＬに対応した消灯状態を繰り返す形で駆動されるので、その明るさは周期的に変動することとなる。この変動幅は、被検眼に対しては悪影響が生じないように予め設定されているが、眼科診断装置１にカメラ７を装着してカメラ７により動画を撮影する場合には、カメラ７のシャッタースピードとパルス電圧ＶＰの周期の同期が取れていないと、ＬＥＤ１１のカメラ７の取得画像に干渉縞が入ることとなる。そうした場合には、波長変更ダイアル１５ａを操作する。すると、調光部１５は波長変更ダイアル１５ａの操作量に応じて、図３に示すパルス電圧ＶＰの波長Ｔを変更することでパルス電圧ＶＰの周波数を変更してＬＥＤ駆動部２０に出力する。これにより、ＬＥＤ１１から発せられる光８の明暗変動周期は適宜調整されるので、カメラ７のシャッタースピードと同期を取ってカメラ７の取得画像に干渉縞が入らないようにすることが出来る。
【００３６】
なお、波長変更ダイアル１５ａは、一度調整するその後は、カメラ７のシャッタースピードが変更されない限り調整する必要が無いので、眼科診断装置１のベース２の底面など、通常手に触れにくい場所に配置するとよい。
【符号の説明】
【００３７】
１……眼科診断装置
７……カメラ
１１……ＬＥＤ
１２……電池
１５……電圧変調手段（調光部）
１６……電圧監視手段、電圧供給停止手段（出力監視部）
１９……遅延制御手段（遅延制御部）
２０……ＬＥＤ駆動部
Ｔ……波長
ＴＨＶ……閾値電圧
ＶＨ……高電圧部
ＶＬ、ＶＢＬ……低電圧部
Ｖｆ……最低駆動電圧値
ＶＢ，ＶＢ１、ＶＢ２……電源電圧
【図１】
2015154882.tif 000003
【図２】
2015154882.tif 000004
【図３】
2015154882.tif 000005
【手続補正書】
【提出日】平成26年3月4日(2014.3.4)
【手続補正１】
【補正対象書類名】明細書
【補正対象項目名】０００６
【補正方法】変更
【補正の内容】
【０００６】
このＬＥＤに対してＰＷＭ方式による制御を使用すると、ＬＥＤが駆動される（電流がＬＥＤを流れる）影響で電源側の電圧（電源電圧）も、高い電圧（Ｈ）と低い電圧（Ｌ）との間で、ＰＷＭによる駆動電圧とは逆位相のパルス状の電圧変動が生じる。この際、電池が消耗状態になっていると、ＬＥＤがＰＷＭの高い電圧（Ｈ）で点灯されると、逆位相の電源電圧が低い電圧（Ｌ）となり、最低駆動電圧値を下回ってしまい、ＬＥＤが消灯する場合が生じる。ＬＥＤが消灯すると、ＬＥＤを流れる電流が無くなるので、電源側の電圧は高い電圧（Ｈ）に戻り、最低駆動電圧値を上回って、ＬＥＤが再度点灯することとなり、これが繰り返される結果フリッカーが生じて、被検眼に対する悪影響の発生及び想定したＰＷＭ方式による駆動とは異なるサイクルでＬＥＤが駆動されてしまう懸念が生じる。
【手続補正２】
【補正対象書類名】明細書
【補正対象項目名】０００７
【補正方法】変更
【補正の内容】
【０００７】
また、ＰＷＭ方式でＬＥＤを駆動する場合、電源投入時点から、ＰＷＭ用の駆動パルスが生成されるまでの間、パルス変調されていない電池からの直流電圧（電源電圧）が直接ＬＥＤに印加され、ＬＥＤが瞬間的に大光量で発光駆動されてしまい、被検眼に対して悪影響を与える危険性がある。
【手続補正３】
【補正対象書類名】明細書
【補正対象項目名】０００８
【補正方法】変更
【補正の内容】
【０００８】
こうした点を改善するために、電源投入時に、パルス変調前の直流電圧（電源電圧）がＬＥＤに入力しないように、一定の遅延時間（例えば、５０ｍｓｅｃ程度）だけＬＥＤへの駆動電圧の印加を遅らせる遅延回路を設け、ＰＷＭ用の駆動パルスが生成された後に当該駆動パルスでＬＥＤを駆動する方式が提案されている。
【手続補正４】
【補正対象書類名】明細書
【補正対象項目名】００３７
【補正方法】変更
【補正の内容】
【００３７】
１……眼科診断装置
７……カメラ
１１……ＬＥＤ
１２……電池
１５……電圧変調手段（調光部）
１６……電圧監視手段、電圧供給停止手段（出力監視部）
１９……遅延制御手段（遅延制御部）
２０……ＬＥＤ駆動部
Ｔ……波長
ＴＨＶ……閾値電圧
ＶＨ……高電圧部
ＶＬ、ＶＢＬ……低電圧部
Ｖｆ……最低駆動電圧値
ＶＢ，ＶＢ１、ＶＢ２……電源電圧